(57)【要約】【課題】  収納棚やミラーと一体感があり、すっきりとしたデザインで浴室内に容易に設置できる浴室用暖房機を提供する。【解決手段】  内部に少なくともヒーターを有し、浴室内を暖房し得る暖房機１１を、収納棚９，ミラー８等と一体にして、浴室１の壁４に設置することができる。【選択図】  図１
2005147452.tif 000002
【特許請求の範囲】
【請求項１】
内部に少なくともヒーターを有し、浴室内を暖房し得る暖房機であって、該暖房機を、浴室内に取り付けられる収納棚，ミラー等と一体にしたことを特徴とする浴室用暖房機。
【請求項２】
前記暖房機は、浴室の天井に設けられた天井付暖房機とは別体で、該天井付暖房機に接続可能に構成されているとともに、該暖房機内の前記ヒーターは、輻射暖房効果が得られる遠赤外線ヒーターで構成されていることを特徴とする請求項１に記載の浴室用暖房機。
【請求項３】
前記暖房機を、照明と一体にしたことを特徴とする請求項１に記載の浴室用暖房機。
【発明の詳細な説明】
【技術分野】
【０００１】
本発明は、浴室内を暖房し得る暖房機に関するものである。
【背景技術】
【０００２】
従来、例えば特許文献１に開示されているように、浴室内を暖房し得る暖房機は、単体で浴室の天井や壁に取り付けられていた。
【特許文献１】特開平５−２１４８２２号公報
【発明の開示】
【発明が解決しようとする課題】
【０００３】
従来では浴室の暖房機は、単体であり、天井付けや壁付けであるため、壁付けの場合には、浴槽に入っている人には暖房の熱が当たり難く、また、天井付けの場合には、洗い場に座っていると暖房の熱が当たり難いという問題点があり、また、壁付けでは、浴室内に突出して見栄えが悪くなり、また、天井付けでは、天井裏のスペースを考慮しなければならないという問題点があった。
【課題を解決するための手段】
【０００４】
本発明は上記従来の問題点に鑑み案出したものであって、浴槽内にいる人も、洗い場に座っている人も、良好に暖房することができ、しかも、デザイン的にすっきりとした状態で設置できる浴室用暖房機を提供せんとするものであり、請求項１は、内部に少なくともヒーターを有し、浴室内を暖房し得る暖房機であって、該暖房機を、浴室内に取り付けられる収納棚，ミラー等と一体にしたことである。
【０００５】
また、請求項２は、前記暖房機は、浴室の天井に設けられた天井付暖房機とは別体で、該天井付暖房機に接続可能に構成されているとともに、該暖房機内の前記ヒーターは、輻射暖房効果が得られる遠赤外線ヒーターで構成されていることである。
また、請求項３は、前記暖房機を、照明と一体にしたことである。
【発明の効果】
【０００６】
本発明は、暖房機を収納棚，ミラー等と一体にしたことにより、暖房機は収納棚やミラーと一体感があるため、従来の壁付けのものに比べて出っ張りが気にならなくなり、すっきりとした状態で浴室の壁に設置できるものとなる。
また、収納棚やミラーの取り付けと同時に暖房機も取り付けできるため、施工が楽になる。
また、従来の天井付けのように、天井裏のスペース内への納まりを考慮しなくても良く、取り付けやメンテナンス作業が楽になる。
また、暖房機で良好にミラーの防露効果が得られるものとなる。
【０００７】
また、暖房機は、浴室の天井に設けられた天井付暖房機とは別体で、天井付暖房機に接続可能に構成されているとともに、暖房機内のヒーターは、輻射暖房効果が得られる遠赤外線ヒーターで構成されていることにより、後から暖房機を浴室内に追加しても、デザイン的に見栄え良く設置することができるものとなり、天井付暖房機は、入浴前に浴室内を温める暖房機として使用することができ、また収納棚，ミラーと一体化された暖房機は、入浴中の暖房機として良好に機能させることができ、また、暖房機はファン等の存在しない小型のものとすることができる。
【０００８】
また、暖房機を、照明と一体にしたことにより、照明には電気配線がされるため、暖房機の配線を専用に工事する必要がなく、配線工事が容易なものとなる。
また、暖房機を照明と一体化させてコンパクトに浴室に設置できるものとなる。
【実施例】
【０００９】
以下、本発明の実施例を図面に基づいて説明する。
図１は、浴室内の斜視構成図である。
浴室１内には浴槽２が設けられ、洗い場３側の壁４には、カウンター５が設けられ、その上方には水栓６が設けられており、この水栓６の上方に収納棚パネル７が設置されている。
【００１０】
この収納棚パネル７には、図２に要部斜視図で示すように、ミラー８と、棚９と、シャワーフック１０が設けられており、上端側には、暖房機１１が横方向に一体的に設けられている。
この暖房機１１は、図３の断面拡大図で示すような内部構造となっている。
即ち、暖房機１１内には、一端側に吸込口１２ａを形成する通路壁板１２が設けられており、この通路壁板１２の下方には、反射板１４が設けられて通路が形成され、通路内にはファン１３が設けられている。
【００１１】
反射板１４は、図４に示すように、全体が鏡面に形成されており、多数の風孔１４ａ，１４ａが開口されている。
反射板１４の下方には、カーボンランプヒーター１５が設けられており、その下方には、吹出口を形成する吹出口カバー１６が覆設されている。
この暖房機１１は、ファン１３が回転されて吸込口１２ａから空気を吸い込み、反射板１４の風孔１４ａを通して、圧損なく風が吹出口カバー１６から吹き出されるように構成されており、カーボンランプヒーター１５が点灯されることで、輻射効果のある遠赤外線が照射されるように構成されている。
なお、カーボンランプヒーター１５に代えて、ハロゲンヒーター，クォーツヒーター等の遠赤外線ヒーターを設けた構成としても良い。
【００１２】
本例では、暖房機１１は収納棚９，９及びミラー８等と一体化されているため、浴室内の壁４に、収納棚パネル７を取り付けて、棚９，ミラー８とともに暖房機１１を容易に設置することができ、暖房機１１の取付施工が容易なものとなる。
また、ミラー８，棚９と一体感があるため、壁４からの暖房機１１の出っ張りが気にならなくなり、すっきりとした意匠性を呈して壁４に設置できるものとなる。
また、天井に設けるものではないため、天井裏のスペース等を考慮する必要もなく、メンテナンス等も容易なものとなる。
【００１３】
更には、暖房機１１の下方にミラー８が設けられているため、暖房機１１からの熱及び風がミラー８に当たり、ミラー８の防曇効果が得られるものとなる。
更に壁４に取り付けられているため、図１に示すように、浴槽２内に入っている人に対しても、また洗い場３で座っている人に対しても良好に輻射が当たり、良好な輻射暖房で入浴中の人及び洗い場で座っている人を良好に暖房できるものとなる。
【００１４】
次に、図５は、収納棚パネル７と一体化した暖房機１１と、天井付暖房機１８を連携させた場合の浴室の斜視構成図である。
図５では、浴室１の天井に既に天井付暖房機１８が設置されており、収納棚パネル７に一体化した暖房機１１を、後付けで浴室内の壁面に取り付け設置する場合である。
天井付暖房機１８には、電源線１９が接続されて電源２３が供給されており、また脱衣室側には、天井付暖房機１８を操作するための暖房機リモコン２１が設置されている。
【００１５】
この天井付暖房機１８からリレー信号線２０を延ばして、後付けした暖房機１１に接続し、図７に示すような回路構成とすることができる。
即ち、浴室１の天井１７に取り付けられている天井付暖房機１８から延ばしたリレー信号線２０を暖房機１１に接続し、また暖房機１１には、電源２４から電源線２５を引き込んで配線することができ、リレー信号線２０を介して、天井付暖房機１８からのリレー信号に合わせて暖房機１１を運転できるように構成することができる。
【００１６】
例えば、暖房機リモコン２１を操作して、浴室１に入る前に天井付暖房機１８のみを運転させて、浴室１内を予め温めておくことができ、天井付暖房機１８は入浴前暖房機として機能させることができ、一方の暖房機１１は、入浴中に作動させて入浴中暖房機として機能させることができる。
この場合、天井付暖房機１８は、内部に安価なＰＴＣヒーター等と、ファンを備えて、ＰＴＣヒーターからの熱をファンで温風として浴室１内に吹き出すような構造としておくことができ、一方の暖房機１１は、図６の断面図で示すように、内部に反射板１４と、カーボンランプヒーター１５等の遠赤外線ヒーターのみを設けて、格子２２でカバーした構造のものを採用することができ、ファンや吸込口の存在しない極めて小型の暖房機１１とすることができ、カーボンランプヒーター１５を点灯させて、浴室内にいる人に輻射を当てて良好に温めることができるものである。
【００１７】
このような構成では、必要に応じて後付け等で、収納棚パネル７と一体で暖房機１１を設置することができ、後付けしても、収納棚９，ミラー８と一体化されているため、違和感を与え難く、すっきりとした状態で浴室に設置することができるものとなる。
また、暖房機１１でミラー８の防曇効果が得られ、暖房機１１からの輻射で浴室内にいる人を良好に暖房することができ、天井付暖房機１８を入浴前暖房機として使用し、暖房機１１を入浴中暖房機として使用する構成とすれば、暖房機１１を小型化させて、出っ張り感のないすっきりとした状態で設置できるものとなる。
【００１８】
次に、図８の断面図で示すものは、暖房機１１内に照明ランプ２６を組み込んで、照明と暖房機を一体化させたものである。
即ち、暖房機１１内には、蛍光灯等の照明ランプ２６が上部に内装されて、その前面にはグローブ２７が覆設されており、グローブ２７の下端から格子２２が連続しており、格子２２の上部には、反射板１４とカーボンランプヒーター１５が内装されている。
【００１９】
なお、反射板１４の前端は開口されており、照明ランプ２６からの光が良好に下方へ照射されるように構成されている。
なお、照明ランプ２６には電源線２８が接続されている。なお、この電源線２８は、図１０の回路図で示すように、電源２９に接続され、壁スイッチ３０でオン・オフできるように、通常は配線されるものである。
【００２０】
このような配線、即ち照明ランプ２６用の電源２９，電源線２８，壁スイッチ３０を利用して、図９に示すように、回路構成することができるものである。
図９では、暖房機１１の基板１１ａ内にリレー３１を設けておき、このリレー３１に、前述した天井付暖房機１８からのリレー信号線２０を接続し、リレー３１の他端側に、暖房機１１へ繋がる電源線３２を接続したものである。
このような構成では、壁スイッチ３０のオン・オフにより、照明ランプ２６を点灯，消灯させることができ、更に、照明ランプ２６用の電源２９を良好にカーボンランプヒーター１５へ供給して、カーボンランプヒーター１５を点灯させることができるものとなる。
また、例えば、天井付暖房機１８で入浴前の暖房を行い、その後に、天井付暖房機１８からのリレー信号により、カーボンランプヒーター１５を点灯させて、入浴中暖房に切り替えるように制御することができるものである。
【図面の簡単な説明】
【００２１】
【図１】浴室内に収納棚，ミラー等と一体化した暖房機を設置した状態の斜視構成図である。
【図２】収納棚，ミラー等と一体化された暖房機の拡大要部斜視構成図である。
【図３】収納棚，ミラー等と一体化された暖房機の縦断面内部構成図である。
【図４】暖房機内に設けられる反射板の正面図である。
【図５】収納棚，ミラー等と一体化された暖房機と、天井付暖房機を連携させた場合の斜視構成図である。
【図６】小型化した暖房機の内部構造図である。
【図７】天井付暖房機と、収納棚，ミラー等と一体化した暖房機との回路構成図である。
【図８】暖房機内に照明ランプを一体化させた場合の縦断面内部構造図である。
【図９】照明用の電源を使用して暖房機を作動させる回路構成図である。
【図１０】照明用の既存の回路図である。
【符号の説明】
【００２２】
１  浴室
２  浴槽
３  洗い場
４  壁
７  収納棚パネル
８  ミラー
９  棚
１０  シャワーフック
１１  暖房機
１２ａ  吸込口
１３  ファン
１４  反射板
１４ａ  風孔
１５  カーボンランプヒーター（遠赤外線ヒーター）
１６  吹出口カバー
１７  天井
１８  天井付暖房機
１９  電源線
２０  リレー信号線
２１  暖房機リモコン
２２  格子
２３，２４  電源
２５  電源線
２６  照明ランプ
２７  グローブ
２８  電源線
２９  電源
３０  壁スイッチ
３１  リレー
【図１】
2005147452.tif 000003
【図２】
2005147452.tif 000004
【図３】
2005147452.tif 000005
【図４】
2005147452.tif 000006
【図５】
2005147452.tif 000007
【図６】
2005147452.tif 000008
【図７】
2005147452.tif 000009
【図８】
2005147452.tif 000010
【図９】
2005147452.tif 000011
【図１０】
2005147452.tif 000012